(57)【要約】【課題】固定手段の操作部に対する操作の容易化を図るようにしながらも、調理器本体の前面部の外観を美麗にでき、かつ、固定手段の操作部の誤操作を回避できる加熱調理器を提供する。【解決手段】調理器本体Ｈの前面部の横端部側部分に並設される上方側運転操作部ＭＵと出退自在な下方側運転操作部ＭＳとを各別に覆う上側操作部カバー６及び下側操作部カバー７が、調理器本体Ｈの横外方に張り出す状態で設けられ、上方側運転操作部ＭＵを覆う状態に上側操作部カバー６を固定する固定手段が、下側操作部カバー７における調理器本体Ｈの横外方に張り出す下側張出部分の背部側箇所に位置する操作部４１Ａにて、少なくとも固定状態から固定解除状態に操作されるように構成されている。【選択図】図２
2014035123.tif 000002
【特許請求の範囲】
【請求項１】
キッチンキャビネットの上方開口部から下方に挿入されて、前面部を前記キッチンキャビネットの前面開口に臨ませた状態に組み付けられる調理器本体における前記前面部の横端部側部分に、上方側運転操作部と下方側運転操作部とが並設され、
前記下方側運転操作部が、前記調理器本体の内方に引退させた引退位置と前記調理器本体の前方に突出させた突出位置とに出退自在に構成され、
前記上方側運転操作部の前面を覆う上側操作部カバー及び前記下方側運転操作部の前面を覆う下側操作部カバーが、前記調理器本体の横端部と前記前面開口との間の隙間を覆うべく前記調理器本体の横外方に張り出す状態で設けられ、
前記上方側運転操作部を覆う状態に前記上側操作部カバーを固定する固定手段が、固定状態と固定解除状態とに切換え自在に設けられた加熱調理器であって、
前記固定手段が、前記下側操作部カバーにおける前記調理器本体の横外方に張り出す下側張出部分の背部側箇所に位置する操作部にて、少なくとも前記固定状態から前記固定解除状態に操作されるように構成されている加熱調理器。
【請求項２】
前記固定手段が、前記上側操作部カバーにおける前記調理器本体の横外方に張り出す上側張出部分の背面部に上下方向にスライド自在に装備された固定作用部材を、固定位置と固定解除位置とに上下方向にスライドさせることによって、前記固定状態と前記固定解除状態とに切換え自在に構成され、
前記操作部が、前記固定作用部材の下端部に連なる状態で設けられて、前記固定作用部材を前記固定位置と前記固定解除位置とにスライド操作自在に構成されている請求項１記載の加熱調理器。
【請求項３】
前記固定作用部材に、前記固定位置において前記上方側運転操作部の横幅方向の外方側端部に設けた外方側係止部に対して前方側への移動不能に係止されかつ前記固定解除位置にて前記外方側係止部による係止が解除される被係止部が設けられ、
前記上側操作部カバーの横幅方向の内方側端部に、前記上方側運転操作部の横幅方向の内方側端部に設けた内方側係止部に対して前方側への移動不能に係止されるカバー側被係止部が設けられている請求項２記載の加熱調理器
【請求項４】
前記上側張出部分の背面部に、前記固定作用部材を前記固定位置と前記固定解除位置とに亘るスライド範囲から外れた装着位置に位置させた状態において、前記固定作用部材の前記上側張出部分の背面部に対する遠近方向の移動を許容し、かつ、前記固定作用部材を前記上側張出部分の背面部に接近させた状態で前記スライド範囲に移動させることにより、前記固定作用部材を前記上側張出部分に保持する保持部、及び、前記スライド範囲に位置する前記固定作用部材が前記装着位置に移動することを受け止め阻止する牽制部が設けられ、
前記固定作用部材に、前記固定作用部材を前記装着位置から前記スライド範囲に移動させるときには、前記牽制部との接当により弾性後退変位して、前記牽制部の装着部を通過し、かつ、前記スライド範囲に位置する前記固定作用部材が前記装着位置に移動することを前記牽制部との接当により牽制する弾性変位式の被牽制部が設けられている請求項２又は３記載の加熱調理器。
【請求項５】
前記下方側運転操作部が、横倒れ姿勢の枢支軸にて下端部が支持されて、前記枢支軸を中心とした前後揺動により前記引退位置と前記突出位置とに切換え自在に構成され、
前記下側操作部カバーが、前記枢支軸にて下端部が支持されて、前記枢支軸を中心とした前後揺動により前記下方側運転操作部に対して開閉されるように構成されている請求項１〜４のいずれか１項に記載の加熱調理器。
【発明の詳細な説明】
【技術分野】
【０００１】
本発明は、キッチンキャビネットの上方開口部から下方に挿入されて、前面部を前記キッチンキャビネットの前面開口に臨ませた状態に組み付けられる調理器本体における前記前面部の横端部側部分に、上方側運転操作部と下方側運転操作部とが並設され、
前記下方側運転操作部が、前記調理器本体の内方に引退させた引退位置と前記調理器本体の前方に突出させた突出位置とに出退自在に構成され、
前記上方側運転操作部の前面を覆う上側操作部カバー及び前記下方側運転操作部の前面を覆う下側操作部カバーが、前記調理器本体の横端部と前記前面開口との間の隙間を覆うべく前記調理器本体の横外方に張り出す状態で設けられ、
前記上方側運転操作部を覆う状態に前記上側操作部カバーを固定する固定手段が、固定状態と固定解除状態とに切換え自在に設けられた加熱調理器に関する。
【背景技術】
【０００２】
かかる加熱調理器は、下方側運転操作部を使用しないときには、調理器本体の内方に引退させた引退位置に位置させておくことにより、加熱調理器の外観を美麗にし、しかも、下方側運転操作部がキッチンキャビネットの前方箇所にて調理作業を行う作業者の邪魔になることを回避できるものであり、また、下方側運転操作部を使用するときには、調理器本体の前方に突出させた突出位置に位置させることにより、下方側運転操作部に対する操作を良好に行えることになる。
【０００３】
また、上方側運転操作部の前面を覆う上側操作部カバー及び下方側運転操作部の前面を覆う下側操作部カバーが、調理器本体の横端部と前面開口との間の隙間を覆うべく調理器本体の横外方に張り出す状態で設けられているから、上側操作部カバー及び下側操作部カバーによって、調理器本体の横端部と前面開口との間の隙間を覆うため、キッチンキャビネットに設置された加熱調理器の外観を一層美麗にすることができる。
【０００４】
ちなみに、一般に、調理器本体の横端部と前面開口との間の隙間には、その隙間を埋める隙間挿入部材が配設されることになるため、上側操作部カバーや下側操作部カバーは、隙間挿入部材の前方側箇所を覆うことになる。
【０００５】
また、上方側運転操作部を覆う状態に上側操作部カバーを固定する固定手段が、固定状態と固定解除状態とに切換え自在に設けられているから、固定手段を固定状態と固定解除状態とに切換えながら、上側操作部カバーを着脱することによって、上方側運転操作部に装備した機器類の点検作業を良好に行えることになる。
【０００６】
ちなみに、このように上側操作部カバーを着脱することできるものであるから、調理器本体をキッチンキャビネットに装着する際には、上側操作部カバーを外しておき、調理器本体をキッチンキャビネットに装着した後に、上側操作部カバーを装着するようにすることにより、調理器本体をキッチンキャビネットに装着する作業が行い易いばかりでなく、上側操作部カバーの損傷を抑制できるものとなる。
【０００７】
尚、一般に、下側操作部カバーも着脱できるように構成されて、調理器本体をキッチンキャビネットに装着する際には、下側操作部カバーを外しておき、調理器本体をキッチンキャビネットに装着した後に、下側操作部カバーを装着するようして、調理器本体をキッチンキャビネットに装着する作業を行い易くし、また、下側操作部カバーの損傷を抑制することになる。
【０００８】
このような加熱調理器の従来例として、固定手段を固定状態と固定解除状態とに切換える操作部としての操作軸が、キッチンキャビネットのカウンタトップと上方側運転操作部との間に、上方側運転操作部の上面部から上方に突出する状態で配置されたガスコンロがある（例えば、特許文献１参照。）。
【０００９】
すなわち、特許文献１には、操作部としての操作軸を下方に押圧することによって、固定状態側に復帰付勢された固定手段を固定状態から固定解除状態に切換える形態と、操作部としての操作軸をコンロ横幅方向にスライド操作することによって、固定手段を固定状態と固定解除状態とに切換える形態とが記載されている。
【先行技術文献】
【特許文献】
【００１０】
【特許文献１】特許第４６１６８６０号公報
【発明の概要】
【発明が解決しようとする課題】
【００１１】
従来の加熱調理器は、キッチンキャビネットのカウンタトップと上方側運転操作部との間に、固定手段の操作部が配置されるものであるから、固定手段に対する操作が行い難いため、改善が望まれるものであった。
すなわち、カウンタトップの下面と上方側運転操作部の上面とに囲まれた空間は、狭い空間であるため、その狭い空間に対して手指を挿入しながら、固定手段の操作部を操作することは行い難いものであった。
【００１２】
ちなみに、固定手段の操作部を、例えば、上側操作部カバーに形成した挿通孔を通して前方に突出させる状態で設けるようにする等、固定手段の操作部を、上側操作部カバーの前方側に位置させるようにして、固定手段に対する操作を行い易くすることが考えられるが、この場合、調理器本体の前面部の外観が悪くなるばかりでなく、固定手段の操作部を誤って操作して、不必要に固定手段を固定解除状態に操作する虞もあり、実用できないものである。
【００１３】
本発明は、上記実情に鑑みて為されたものであって、その目的は、固定手段の操作部に対する操作の容易化を図るようにしながらも、調理器本体の前面部の外観を美麗にでき、かつ、固定手段の操作部の誤操作を回避できる加熱調理器を提供する点にある。
【課題を解決するための手段】
【００１４】
本発明の加熱調理器は、キッチンキャビネットの上方開口部から下方に挿入されて、前面部を前記キッチンキャビネットの前面開口に臨ませた状態に組み付けられる調理器本体における前記前面部の横端部側部分に、上方側運転操作部と下方側運転操作部とが並設され、
前記下方側運転操作部が、前記調理器本体の内方に引退させた引退位置と前記調理器本体の前方に突出させた突出位置とに出退自在に構成され、
前記上方側運転操作部の前面を覆う上側操作部カバー及び前記下方側運転操作部の前面を覆う下側操作部カバーが、前記調理器本体の横端部と前記前面開口との間の隙間を覆うべく前記調理器本体の横外方に張り出す状態で設けられ、
前記上方側運転操作部を覆う状態に前記上側操作部カバーを固定する固定手段が、固定状態と固定解除状態とに切換え自在に設けられたものであって、その第１特徴構成は、
前記固定手段が、前記下側操作部カバーにおける前記調理器本体の横外方に張り出す下側張出部分の背部側箇所に位置する操作部にて、少なくとも前記固定状態から前記固定解除状態に操作されるように構成されている点を特徴とする。
【００１５】
すなわち、上方側運転操作部を覆う状態に上側操作部カバーを固定する固定手段の操作部が、下側操作部カバーにおける調理器本体の横外方に張り出す下側張出部分の背部側箇所に位置されているから、下方側運転操作部を突出位置に位置させると、固定手段の操作部が露出するものとなり、下方側運転操作部を引退位置に位置させると、固定手段の操作部が下側操作部カバーの下側張出部分にて覆われるものとなる。
【００１６】
したがって、固定手段の操作部を操作するときには、下方側運転操作部を突出位置にすることにより、露出した固定手段の操作部を良好に操作することができ、固定手段の操作部を操作しないときには、下方側運転操作部を引退位置に位置させることにより、固定手段の操作部を下側操作部カバーの下側張出部分にて覆うことによって、調理器本体の前面部の外観を美麗にできる。
【００１７】
しかも、固定手段の操作部を操作するためではなく、下方側運転操作部を操作するために、下方側運転操作部を突出位置に位置させたときにも、固定手段の操作部が露出するものとなるが、固定手段の操作部は、下方側運転操作部の横外方に位置するものであるから、固定手段の操作部が露出する状態となっても、下方側運転操作部や上方側運転操作部を操作する使用者によって、固定手段の操作部が誤操作される虞は少ないものとなる。
【００１８】
ちなみに、固定手段を操作部にて固定状態と固定解除状態とに切換えるように構成される場合には、操作部にて、固定手段を固定状態と固定解除状態とに切換えることになるが、固定手段が固定状態に復帰付勢されて、上方側運転操作部を覆う状態に上側操作部カバーを装着すると、固定手段が自動的に固定状態になるように構成される場合においては、操作部にて、固定手段を固定状態から固定解除状態とに切換えるようにすることになる。
【００１９】
要するに、本発明の第１特徴構成によれば、固定手段の操作部に対する操作の容易化を図るようにしながらも、調理器本体の前面部の外観を美麗にでき、かつ、固定手段の操作部の誤操作を回避できる加熱調理器を提供できる。
【００２０】
本発明の加熱調理器の第２特徴構成は、上記第１特徴構成に加えて、
前記固定手段が、前記上側操作部カバーにおける前記調理器本体の横外方に張り出す上側張出部分の背面部に上下方向にスライド自在に装備された固定作用部材を、固定位置と固定解除位置とに上下方向にスライドさせることによって、前記固定状態と前記固定解除状態とに切換え自在に構成され、
前記操作部が、前記固定作用部材の下端部に連なる状態で設けられて、前記固定作用部材を前記固定位置と前記固定解除位置とにスライド操作自在に構成されている点を特徴とする。
【００２１】
すなわち、固定手段が、上側操作部カバーにおける調理器本体の横外方に張り出す上側張出部分の背面部に、固定作用部材を上下方向にスライド自在に装備して、その固定作用部材を、固定位置と固定解除位置とに上下方向にスライドさせることによって、固定状態と固定解除状態とに切換えられるように構成されている。
【００２２】
そして、固定手段の操作部が、固定作用部材の下端部に連なる状態で設けられて、固定作用部材を固定位置と固定解除位置とにスライド操作するように構成されている。
【００２３】
つまり、上側操作部カバーの上側張出部分の後方側には、調理器本体が存在しない点に着目して、上側張出部分の背面部を、固定手段を構成する固定作用部材の設置箇所として有効利用するものであるから、固定手段を構成する固定作用部材の設置構成を、制約の少ない状態で設計できるものとなるため、固定手段の製作の容易化を図ることができる。
【００２４】
しかも、固定手段の操作部を、単に、固定作用部材の下端部に連なる状態で設けるものであるから、固定手段の操作部の設置構成の簡素化により、固定手段の簡素化を図ることができる。
【００２５】
要するに、本発明の第２特徴構成によれば、上記第１特徴構成による作用効果に加えて、固定手段の製作の容易化及び簡素化を図ることが加熱調理器を提供できる。
【００２６】
本発明の加熱調理器の第３特徴構成は、上記第２特徴構成に加えて、
前記固定作用部材に、前記固定位置において前記上方側運転操作部の横幅方向の外方側端部に設けた外方側係止部に対して前方側への移動不能に係止されかつ前記固定解除位置にて前記外方側係止部による係止が解除される被係止部が設けられ、
前記上側操作部カバーの横幅方向の内方側端部に、前記上方側運転操作部の横幅方向の内方側端部に設けた内方側係止部に対して前方側への移動不能に係止されるカバー側被係止部が設けられている点を特徴とする。
【００２７】
すなわち、上側操作部カバーの上側張出部分の背面部に装着した固定作用部材を、固定位置に位置させると、固定作用部材に設けた被係止部が、上方側運転操作部の横幅方向の外方側端部に設けた外方側係止部に対して前方側への移動不能に係止されることにより、上側操作部カバーの横幅方向の外方側部分が、上方側運転操作部に対して、前方側への移動不能に係止されることになる。
【００２８】
また、上側操作部カバーの横幅方向の内方側端部に設けたカバー側被係止部が、上方側運転操作部の横幅方向の内方側端部に設けた内方側係止部に対して前方側への移動不能に係止されることにより、上側操作部カバーの横幅方向の内方側部分が、上方側運転操作部に対して、前方側への移動不能に係止されることになる。
【００２９】
つまり、上側操作部カバーの横幅方向の内方側部分及び外方側部分を、上方側運転操作部に対して、前方側への移動を規制するように支持させた状態、換言すれば、上側操作部カバーの両端側部分を、上方側運転操作部に対して、前方側への移動を規制するように支持させた状態で、上側操作部カバーを上方側運転操作部に装着するものであるから、上側操作部カバーを上方側運転操作部に対して的確に装着できるものとなる。
【００３０】
要するに、本発明の第３特徴構成によれば、上記第２特徴構成による作用効果に加えて、上側操作部カバーを上方側運転操作部に対して的確に装着できる加熱調理器を提供できる。
【００３１】
本発明の加熱調理器の第４特徴構成は、上記第２又は第３特徴構成に加えて、
前記上側張出部分の背面部に、前記固定作用部材を前記固定位置と前記固定解除位置とに亘るスライド範囲から外れた装着位置に位置させた状態において、前記固定作用部材の前記上側張出部分の背面部に対する遠近方向の移動を許容し、かつ、前記固定作用部材を前記上側張出部分の背面部に接近させた状態で前記スライド範囲に移動させることにより、前記固定作用部材を前記上側張出部分に保持する保持部、及び、前記スライド範囲に位置する前記固定作用部材が前記装着位置に移動することを受け止め阻止する牽制部が設けられ、
前記固定作用部材に、前記固定作用部材を前記装着位置から前記スライド範囲に移動させるときには、前記牽制部との接当により弾性後退変位して、前記牽制部の装着部を通過し、かつ、前記スライド範囲に位置する前記固定作用部材が前記装着位置に移動することを前記牽制部との接当により牽制する弾性変位式の被牽制部が設けられている点を特徴とする。
【００３２】
すなわち、固定作用部材を上側張出部分に組付ける際には、固定作用部材を装着位置に対応する位置に位置させた状態で上側張出部分に接近させ、その後、スライド範囲に移動させることになる。
ちなみに、装着位置に位置する固定作用部材をスライド範囲に移動する際には、被牽制部が牽制部に接当しながら弾性後退変位して、牽制部の装着部を通過することになる。
【００３３】
そして、固定作用部材がスライド範囲に移動されると、固定作用部材が、保持部にて上側張出部分に保持されることになり、かつ、牽制部と被牽制部との接当により、スライド範囲から装着位置に固定作用部材が移動することが牽制されることになる。
【００３４】
また、固定作用部材を上側張出部分から取り外す際には、被牽制部を手指にて把持しながら弾性後退変位させて、牽制部と接当しない状態にすることを維持しながら、固定作用部材をスライド範囲から装着位置にスライドさせ、装着位置に位置する固定作用部材を上側張出部分から離れる側に移動させる。
【００３５】
このように、固定作用部材を上側張出部分に組付ける際には、固定作用部材を装着位置に対応する位置に位置させた状態で上側張出部分に接近させ、その後、スライド範囲に移動させるだけでよく、また、固定作用部材を上側張出部分から取り外す際には、被牽制部を手指にて把持しながら弾性後退変位させて、牽制部と接当しない状態にすることを維持しながら、固定作用部材をスライド範囲から装着位置にスライドさせるだけでよいから、固定作用部材を上側張出部分に組付けことや、固定作用部材を上側張出部分から取り外すことを、特別な工具を要することなく、容易に行える。
【００３６】
要するに、本発明の第４特徴構成によれば、上記第２又は第３特徴構成による作用効果に加えて、固定作用部材の上側張出部分に対する組付けや取り外しの容易化を図ることができる加熱調理器を提供できる。
【００３７】
本発明の加熱調理器の第５特徴構成は、上記第１〜第４特徴構成のいずれかに加えて、
前記下方側運転操作部が、横倒れ姿勢の枢支軸にて下端部が支持されて、前記枢支軸を中心とした前後揺動により前記引退位置と前記突出位置とに切換え自在に構成され、
前記下側操作部カバーが、前記枢支軸にて下端部が支持されて、前記枢支軸を中心とした前後揺動により前記下方側運転操作部に対して開閉されるように構成されている点を特徴とする。
【００３８】
すなわち、下方側運転操作部が、枢支軸を中心とした前後揺動により引退位置と突出位置とに切換えられることになり、そして、下側操作部カバーが、下方側運転操作部を枢支する枢支軸にて下端部が支持されて、枢支軸を中心とした前後揺動により下方側運転操作部に対して開閉されることになる。
【００３９】
つまり、下側操作部カバーを、メンテナンス等のために開閉することが、下方側運転操作部を枢支する枢支軸を中心とした前後揺動により行われることになるから、下方側運転操作部と下側操作部カバーとの相対関係が枢支軸により適正関係に維持されるため、下側操作部カバーを下方側運転操作部に対して良好に開閉することができる。
【００４０】
要するに、本発明の第５特徴構成によれば、上記第１〜第４特徴構成による作用効果に加えて、下側操作部カバーを下方側運転操作部に対して良好に開閉することができる加熱調理器を提供できる。
【図面の簡単な説明】
【００４１】
【図１】ガスコンロの斜視図
【図２】同ガスコンロの斜視図
【図３】下側操作部カバーを開いた状態の運転操作部の斜視図
【図４】下側操作部カバーを外した状態の運転操作部の斜視図
【図５】操作部装着枠の正面図
【図６】上側操作部カバーの背部の斜視図
【図７】固定作用部材の斜視図
【図８】上側操作部カバーの装着途中状態を示す斜視図
【図９】上側操作部カバーの装着状態を示す背面図
【図１０】図９におけるＸ−Ｘ線矢視図
【図１１】図９におけるＸＩ−ＸＩ線矢視図
【図１２】図９におけるＸＩＩ−ＸＩＩ線矢視図
【図１３】固定作用部材が装着位置に位置する状態を示す背面図
【図１４】固定作用部材と外方側係止部との関係を示す背面図
【図１５】点消火部材の装着部を示す切欠側面図
【図１６】点消火部材の装着部を示す切欠側面図
【図１７】ガスコンロをキッチンキャビネットに装着する途中状態を示す斜視図
【図１８】ガスコンロをキッチンキャビネットに装着した状態を示す斜視図
【発明を実施するための形態】
【００４２】
〔実施形態〕
本発明の実施形態を図面に基づいて説明する。
（ガスコンロの全体構成）
図１及び図２に示すように、加熱調理器としてのガスコンロＧＣが、調理器本体Ｈの上面部に、コンロバーナ１として、標準火力バーナ１Ａ、小火力バーナ１Ｂ及び大火力バーナ１Ｃを備え、且つ、調理器本体Ｈの横幅方向中央部にグリル部Ｇを備える形態に構成されている。
【００４３】
調理器本体Ｈは、上部が開口された箱状の金属製のケーシング２を主要部として構成されるものであって、ケーシング２の内部には、図示は省略するが、グリル部Ｇを構成するグリル庫、コンロバーナ１の混合管、グリル部Ｇに装備したグリルバーナの混合管等、種々の機器類が装備されている。
ちなみに、ケーシング２の内部における前面側の左右両側部には、後述する運転操作部Ｍを構成するために、合成樹脂製の操作部装着枠Ｂ（図４参照）が組付けられることになる。
【００４４】
調理器本体Ｈの上部には、ガラス製の天板３が配置され、調理器本体Ｈの上面部の後部側には、グリル部Ｇの燃焼排ガスを排気するためのグリル排気口４が形成されている。
また、天板３の上部には、コンロバーナ１にて加熱される鍋等の調理容器を載置するための五徳５が、３つのコンロバーナ１の夫々に対応して設けられている。
【００４５】
このガスコンロＧＣは、ビルトインタイプとして構成されるものであり、具体的には、調理器本体Ｈが、図１７及び図１８に示すように、キッチンキャビネットＫＮの上方開口部Ｋ１から下方に挿入されて、調理器本体Ｈの前面部をキッチンキャビネットＫＮの前面開口Ｋ２に臨ませた状態に組み付けられるように構成されている。
尚、詳述はしないが、調理器本体Ｈの上部の周縁部には、キッチンキャビネットＫＮの上面に載置する鍔部が形成されている。
【００４６】
また、調理器本体Ｈの横端部と前面開口Ｋ２との間の隙間を塞ぐ左右一対の隙間挿入部材Ｐが、調理器本体Ｈの横側壁における前方側箇所に装着されている（図１参照）。
ちなみに、隙間挿入部材Ｐは、ＡＢＳ樹脂又はＰＢＴ樹脂等の樹脂を射出成型して、柱状に構成されている。
【００４７】
図１及び図２に示すように、調理器本体Ｈにおける前面部の左方側の横端部部分及び右方側の横端部部分には、運転操作部Ｍが設けられ、左右の運転操作部Ｍの夫々には、上方側運転操作部ＭＵと下方側運転操作部ＭＳとが並設されている。
そして、左右両側の下方側運転操作部ＭＳが、調理器本体Ｈの内方に引退させた引退位置（図１参照）と調理器本体Ｈの前方に突出させた突出位置（図２参照）とに出退自在に構成されている。
つまり、左右両側の下方側運転操作部ＭＳが、運転操作指令部Ｎを上面部に備える出退式操作部に構成されている。
【００４８】
また、左右両側の上方側運転操作部ＭＵには、前面を覆う上側操作部カバー６が装備され、左右両側の下方側運転操作部ＭＳには、前面を覆う下側操作部カバー７が装備されている。
そして、左右の上側操作部カバー６及び左右の下側操作部カバー７が、調理器本体Ｈの横端部とキッチンキャビネットＫＮの前面開口Ｋ２との間を覆うべく調理器本体Ｈの横外方に張り出す状態で設けられている。
【００４９】
つまり、左右の上側操作部カバー６には、調理器本体Ｈの横外方に張り出す上側張出部分６Ａが設けられ、左右の下側操作部カバー７には、調理器本体Ｈの横外方に張り出す下側張出部分７Ａが設けられている（図３参照）。
そして、上側張出部分６Ａ及び下側張出部分７Ａが、上述した隙間挿入部材Ｐの前部相当箇所を覆う状態で、調理器本体Ｈの横端部とキッチンキャビネットＫＮの前面開口Ｋ２との間を覆うように構成されている（図１８参照）。
【００５０】
左右の上方側運転操作部ＭＵの夫々には、押し操作式の点消火ボタン８、及び、コンロ横幅方向に沿ってスライド操作されるスライド操作式の火力調節具９が配設されている。
すなわち、左方の上方側運転操作部ＭＵには、押し操作式の点消火ボタン８として、標準火力バーナ１Ａに対する点火及び消火を指令する標準火力用点消火ボタン８Ａ、及び、小火力バーナ１Ｂに対する点火及び消火を指令する小火力用点消火ボタン８Ｂが、コンロ横幅方向に沿って並ぶ状態で装備されている。
【００５１】
加えて、左方の上方側運転操作部ＭＵには、スライド操作式の火力調節具９として、標準火力バーナ１Ａの火力を調節する標準火力用火力調節具９Ａ、及び、小火力バーナ１Ｂの火力を調節する小火力用火力調節具９Ｂが、コンロ横幅方向に沿って並ぶ状態で装備されている。
【００５２】
また、右方の上方側運転操作部ＭＵには、押し操作式の点消火ボタン８として、大火力バーナ１Ｃに対する点火及び消火を指令する大火力用点消火ボタン８Ｃ、及び、グリルバーナに対する点火及び消火を指令するグリル用点消火ボタン８Ｄが、コンロ横幅方向に沿って並ぶ状態で装備されている。
加えて、右方の上方側運転操作部ＭＵには、スライド操作式の火力調節具９として、大火力バーナ１Ｃの火力を調節する大火力用火力調節具９Ｃが装備されている。
ちなみに、グリルバーナの火力は、右方の上方側運転操作部ＭＵに設けた火力切替スイッチＳＷ（図３及び図４参照）にて変更調節されることになる。
【００５３】
図１５及び図１６に示すように、点消火ボタン８は、後端側上部の揺動軸心Ｑを中心にコンロ後方側に押し込み操作されて、コンロ前方側に復帰付勢された器具栓スライダ１０を押し移動するように構成されている。
すなわち、図示は省略するが、標準火力バーナ１Ａ、小火力バーナ１Ｂ、大火力バーナ１Ｃ、及び、グリルバーナの夫々に対応させて、ガス燃料の供給を断続しかつガス燃料の供給量を調節する器具栓が設けられており、各器具栓に装備した器具栓スライダ１０が、標準火力用点消火ボタン８Ａ、小火力用点消火ボタン８Ｂ、大火力用点消火ボタン８Ｃ、及び、グリル用点消火ボタン８Ｄにて押し移動させるように構成されている。
【００５４】
器具栓スライダ１０は、コンロ前後幅方向の前方側位置に位置する状態（図１５参照）から、点消火ボタン８にて後方側位置に押し移動されると（図１６参照）、その後方側位置に保持され、後方側位置から後方側に向けて点消火ボタン８にて少しだけ押し移動されると、保持が解除されて、点消火ボタン８を押し移動させながら前方側位置に復帰移動するように構成されるものであり、そして、器具栓は、器具栓スライダ１０が前方側位置に位置するとガス燃料の供給を停止する状態となり、器具栓スライダ１０が後方側位置に位置するとガス燃料を供給する状態となるように構成されるものであるが、器具栓スライダ１０の構成や器具栓の構成は周知であるので、本実施形態においては詳細な説明を省略する。
【００５５】
ちなみに、標準火力用火力調節具９Ａ、小火力用火力調節具９Ｂ、及び、大火力用火力調節具９Ｃは、標準火力バーナ１Ａ、小火力バーナ１Ｂ、及び、大火力バーナ１Ｃに対応する器具栓に、コンロ横幅方向に揺動自在に枢支されて、その揺動により、ガス燃料の供給量を調節するように構成されている。
尚、図示は省略するが、グリルバーナに対応する器具栓には、火力調節用の電磁弁が装備されて、この電磁弁の作動を制御する制御手段（図示せず）が、火力切替スイッチＳＷの指令に基づいて、火力調節用の電磁弁を作動させることになる。
【００５６】
左方の下方側運転操作部ＭＳの運転操作指令部Ｎは、標準火力バーナ１Ａ及び小火力バーナ１Ｂに対する運転情報を指令するものであって、具体的には、燃焼している標準火力バーナ１Ａ及び小火力バーナ１Ｂを設定時間が経過すると自動的に消火するタイマ運転や、やかん等の被加熱容器に収納した湯水が沸騰すると、燃焼している標準火力バーナ１Ａ及び小火力バーナ１Ｂを自動的に消火する湯沸し運転等、各種の運転を実行するための運転情報を指令することになる。
【００５７】
右方の下方側運転操作部ＭＳの運転操作指令部Ｎは、大火力バーナ１Ｃ及びグリルバーナに対する運転情報を指令するものであって、具体的には、大火力バーナ１Ｃについては、標準火力バーナ１Ａ及び小火力バーナ１Ｂと同様に、タイマ運転や湯沸し運転等の各種の運転を実行するための運転情報を指令することになる。
また、グリルバーナについては、燃焼しているグリルバーナを設定時間が経過すると自動的に消火するタイマ運転や、燃焼排気温度に基づいて被調理物が焼き上がりであることを推定すると、燃焼しているグリルバーナを自動的に消火する自動運転等、各種の運転を実行するための運転情報を指令することになる。
【００５８】
（運転操作部の構成）
次に、左右の運転操作部Ｍの夫々に設けた上方側運転操作部ＭＵ及び下方側運転操作部ＭＳについて詳述するが、左右の上方側運転操作部ＭＵは同様に構成され、左右の下方側運転操作部ＭＳは同様に構成されるものであるため、以下、右方側の運転操作部Ｍに設けた右方の上方側運転操作部ＭＵ及び右方の下方側運転操作部ＭＳを代表として説明する。
【００５９】
図３〜図５、図８に示すように、ケーシング２の前面側の右側部には、前述した合成樹脂製の操作部装着枠Ｂが装備されている。
操作部装着枠Ｂは、コンロ前後幅方向に向かう角筒状に構成された下方側部分ＢＳと、平面視形状がコの字状に構成された上方側部分ＢＵとを備える形態に構成されている。
そして、操作部装着枠Ｂの上方側部分ＢＵに、点消火ボタン８等が組み付けられて、上方側運転操作部ＭＵが構成され、操作部装着枠Ｂの下方側部分ＢＳに、下方側運転操作部ＭＳが組み付けられている。
【００６０】
操作部装着枠Ｂにおける下方側部分ＢＳの左右の側壁部分１２の間に、枢支軸１１が横倒れ姿勢で架設されている。
そして、下方側運転操作部ＭＳが、図３に示すように、コンロ前後幅方向視にて逆Ｕ字状に構成され、その左右の壁部分１３の下端部が、枢支軸１１に前後揺動自在に枢支されている。
つまり、下方側運転操作部ＭＳが、枢支軸１１を中心とした前後揺動により引退位置と突出位置とに切換え自在に構成されている。
【００６１】
また、下方側運転操作部ＭＳには、前面部を開閉する内蓋１４が設けられている。
この内蓋１４は、枢支軸１１に下端部が支持されて、枢支軸１１を中心とした前後揺動により開き状態と閉じ状態に切換え自在に構成されている。
尚、操作部装着枠Ｂの下方側部分ＢＳには、電池収納ボックス１５がコンロ前後幅方向に沿って出退操作自在に設けられており、内蓋１４には、電池収納ボックス１５を挿脱する挿脱用開口１４Ａが形成されている。
【００６２】
下側操作部カバー７が、枢支軸１１にて下端部が支持されて、枢支軸１１を中心とした前後揺動により下方側運転操作部ＭＳに対して着脱されるように構成されている。
すなわち、下側操作部カバー７の下端縁部の左右両側に、枢支軸１１に外嵌する係合部７ａが設けられており、これらの係合部７ａが枢支軸１１に外嵌することにより、下側操作部カバー７が枢支軸１１を中心に前後揺動するように構成されている。
【００６３】
図４に示すように、下側操作部カバー７の下端縁部の係合部７ａが、一部を開口させたＵ字状に形成されており、下側操作部カバー７をコンロ前後方向に移動させながら、係合部７ａを枢支軸１１に対して係脱できるように構成されている。
【００６４】
下側操作部カバー７の上方側には、左右一対の弾性変形自在な舌片７ｂが、後方側に向けて突出する状態で設けられ、それらの舌片７ｂの先端部には、下方側運転操作部ＭＳの左右の壁部分１３に形成した係合孔１６に係合自在な係合突起１７が設けられている。
そして、開き状態の下側操作部カバー７（図３参照）を上方側に揺動させるに伴って、舌片７ｂが、下方側運転操作部ＭＳの左右の壁部分１３と内蓋１４との間を通して、下方側運転操作部ＭＳの内部に進入し、舌片７ｂの先端の係合突起１７が、下方側運転操作部ＭＳの左右の壁部分１３に形成した係合孔１６に係合することによって、下側操作部カバー７が、閉じ状態に保持されるように構成されている。
【００６５】
尚、閉じ状態の下側操作部カバー７を開き状態に切換え操作する際には、下側張出部分７Ａ等を把持して、下側操作部カバー７を下側に向けて開き操作することにより、舌片７ｂの先端の係合突起１７が、下方側運転操作部ＭＳの左右の壁部分１３に形成した係合孔１６から外れて、下側操作部カバー７を開き状態に切換えることができる。
【００６６】
このように、下側操作部カバー７を開閉できるものであるから、電池収納ボックス１５に収納した電池を交換する電池交換作業や、操作部装着枠Ｂの下方側部分ＢＳの内方側箇所に装備した電子機器等の機器類の点検を行う機器点検作業を行う際等においては、下側操作部カバー７を開き状態にすることになる。
尚、機器点検作業を行う際には、内蓋１４を開くことになる。
【００６７】
また、下側操作部カバー７の開き状態において、下側操作部カバー７の下端縁部の係合部７ａを枢支軸１１に対して係脱しながら、下側操作部カバー７を着脱できるものであるから、図１７及び図１８に示すように、調理器本体ＨをキッチンキャビネットＫＮに装着する際には、下側操作部カバー７を外しておき、調理器本体ＨをキッチンキャビネットＫＮに装着した後において、下側操作部カバー７を、下方側運転操作部ＭＳを覆う状態に装着できる。
【００６８】
ちなみに、図示は省略するが、下方側運転操作部ＭＳは、突出位置に復帰付勢され、そして、引退位置に押し移動させることによって、引退位置に自動的に保持され、かつ、引退位置から後方側に少し押し移動させることにより保持が解除されて、突出位置に復帰移動するように構成されることになるが、その構成は周知であるので、本実施形態では説明を省略する。
【００６９】
図４及び図５に示すように、操作部装着枠Ｂの上方側部分ＢＵの前面部を形成する上方側前壁部分１８には、上述の火力切替スイッチＳＷや、各種の表示ランプ類ＬＰが装備され、また、図５に示すように、点消火ボタン８としての、大火力用点消火ボタン８Ｃ及びグリル用点消火ボタン８Ｄを前方に突出させるためのボタン挿通口１９、及び、火力調節具９としての、大火力用火力調節具９Ｃを前方に突出させるための調節具挿通口２０が形成されている。
【００７０】
ちなみに、点消火ボタン８は、図１５及び図１６に示すように、操作部装着枠Ｂの上方側部分ＢＵの上方側前壁部分１８の背部側箇所に、揺動軸心Ｑを中心に揺動できるように支持されることになる。
そして、本実施形態の点消火ボタン８には、点消火ボタン８が後方側に押し移動されても後方側に移動しないように牽制するチャイルドロック用の牽制部材２１が、牽制作用位置と牽制解除位置とに切換え操作自在に装備されて、この牽制部材２１が、器具栓スライダ１０を押し作用するように構成されているが、本実施形態においては、牽制部材２１の構成や牽制部材２１を牽制作用状態と牽制解除状態に切換える構成についての説明は省略する。
【００７１】
尚、図３及び図４に示すように、点消火ボタン８としての、大火力用点消火ボタン８Ｃ及びグリル用点消火ボタン８Ｄの間には、コンロ横幅方向視において、点消火ボタン８の前端側部分と同形状の中間部材２２が配設されている。この中間部材２２は、操作部装着枠Ｂとは別体に成型されて、操作部装着枠Ｂの前面部に組み付けられている。
【００７２】
上側操作部カバー６には、図３及び図６に示すように、操作部装着枠Ｂの上方側前壁部分１８の構成に対応させて、点消火ボタン８としての、大火力用点消火ボタン８Ｃ及びグリル用点消火ボタン８Ｄをコンロ前方に突出させるボタン用開口２５、火力調節具９としての、大火力用火力調節具９Ｃをコンロ前方に突出させる調節具用開口２６、火力切替スイッチＳＷを挿通させるスイッチ用開口２７、及び、複数の表示用開口２８等が形成されている。
【００７３】
上側操作部カバー６が、操作部装着枠Ｂの上方側部分ＢＵに対して着脱自在に装備されて、図１７及び図１８に示すように、調理器本体ＨをキッチンキャビネットＫＮに装着する際には外しておき、調理器本体ＨをキッチンキャビネットＫＮに装着した後において、上方側運転操作部ＭＵを覆う状態に装着できるように構成されている。
また、上側操作部カバー６を操作部装着枠Ｂの上方側部分ＢＵに対して着脱できるものであるから、操作部装着枠Ｂの上方側前壁部分１８に装着した火力切替スイッチＳＷや各種の表示ランプ類ＬＰ等の点検作業を行う際にも、上側操作部カバー６を操作部装着枠Ｂの上方側部分ＢＵに対して着脱できるようになっている。
【００７４】
（上側操作部カバーの装着構成）
上側操作部カバー６を着脱する構成について説明を加えると、図８及び図９に示すように、上側操作部カバー６を操作部装着枠Ｂの上方側前壁部分１８に固定する固定手段Ｄが、固定状態と固定解除状態とに切換え自在に設けられており、固定手段Ｄを固定解除状態に切換えることにより、上側操作部カバー６を上方側前壁部分１８から外すことができ、固定手段Ｄを固定状態に切換えることにより、上側操作部カバー６を上方側前壁部分１８に装着した状態に維持できるように構成されている。
【００７５】
すなわち、図８、図９及び図１１に示すように、上側操作部カバー６の横幅方向の内方側端部に、上方側前壁部分１８の横幅方向の内方側端部に設けた上下一対の内方側係止部３１に対して前方側への移動不能に係止される上下一対のカバー側被係止部３２が設けられている。
固定手段Ｄが、図９、図１２及び図１４に示すように、上方側前壁部分１８の横幅方向の外方側端部に設けた上下一対の外方側係止部３３（図５、図８参照）に対して前方側への移動不能に係止される被係止部３４を備えて、被係止部３４が外方側係止部３３に係止されると固定状態（図１４（ｂ）参照）となり、外方側係止部３３による被係止部３４の係止が解除されると固定解除状態（図１４（ａ）参照）となるように構成されている。
【００７６】
そして、図８に示すように、上側操作部カバー６の上下一対のカバー側被係止部３２を上方側前壁部分１８の上下一対の内方側係止部３１に係止させ、その状態で、上側操作部カバー６を上方側前壁部分１８に近づけるように移動させて、上側操作部カバー６を上方側前壁部分１８に密着させ、その密着状態において、被係止部３４が外方側係止部３３に係止される固定状態に切換えることにより、上側操作部カバー６を上方側前壁部分１８に装着できるように構成されている。
【００７７】
また、上側操作部カバー６を上方側前壁部分１８に装着した状態において、外方側係止部３３による被係止部３４の係止が解除される固定解除状態に切換えた後、上側操作部カバー６を上方側前壁部分１８から離れる側に移動させ、その後、上側操作部カバー６の上下一対のカバー側被係止部３２を上方側前壁部分１８の上下一対の内方側係止部３１から外すことにより、上側操作部カバー６を上方側前壁部分１８から取外すことができるように構成されている。
【００７８】
ちなみに、図６に示すように、上側操作部カバー６の裏面におけるカバー横幅方向の外方側箇所には、上下方向に並ぶ３つの位置決め用の舌片状凸部３５、及び、上側操作部カバー６の裏面におけるカバー上下幅方向の中央側箇所には、位置決め用のピン状凸部３６が形成されている。
そして、図５に示すように、操作部装着枠Ｂの上方側前壁部分１８には、舌片状凸部３５が嵌合する角状凹部３７、及び、ピン状凸部３６が嵌合する長孔状凹部３８が形成されている。
【００７９】
したがって、上側操作部カバー６を上方側前壁部分１８に装着した状態においては、舌片状凸部３５が角状凹部３７に嵌合し、かつ、ピン状凸部３６が長孔状凹部３８に嵌合することにより、上側操作部カバー６が上方側前壁部分１８に対する適正位置に位置決めされるように構成されている。
【００８０】
（固定手段の構成）
固定手段Ｄが、図９、図１０及び図１４に示すように、上側操作部カバー６における調理器本体Ｈの横外方に張り出す上側張出部分６Ａの背面部に上下方向にスライド自在に装備した固定作用部材４１を、固定位置（図１４（ｂ）参照）と固定解除位置（図１４（ａ）参照）とに上下方向にスライドさせることによって、上述した固定状態と固定解除状態とに切換えるように構成されている。
【００８１】
すなわち、図６及び図７に示すように、固定作用部材４１が上下方向に沿う帯板状に形成され、固定作用部材４１には、上述した被係止部３４が、横外方に張り出す状態で上下一対設けられている。
尚、被係止部３４が、固定作用部材４１の左右両側に張り出す状態に設けられて、左方側の運転操作部Ｍにおける上方側運転操作部ＭＵに対して上側操作部カバー６を装着する際にも、固定作用部材４１を兼用できるようになっている。
【００８２】
そして、固定作用部材４１を固定位置と固定解除位置とにスライド操作する操作部４１Ａが、固定作用部材４１の下端部に連なる状態で設けられている。
つまり、操作部４１Ａは、固定手段Ｄを固定状態と固定解除状態とに切換え操作する操作部として機能するものであり、そして、その操作部４１Ａが、下側操作部カバー７における調理器本体Ｈの横外方に張り出す下側張出部分７Ａの背部側箇所に位置するように構成されている。
【００８３】
したがって、固定手段Ｄを固定状態と固定解除状態とに切換えるべく、固定作用部材４１を固定位置と固定解除位置とに切換え操作する際には、下側操作部カバー７を備えた下方側運転操作部ＭＳを突出位置に位置させて、操作部４１Ａを露出させることにより、操作部４１Ａの操作を良好に行えるように構成されている。
尚、操作部４１Ａが、後方側に突出する状態となっているため、詳述はしないが、上述した隙間挿入部材Ｐには、操作部４１Ａが突入する凹部が形成されることになる。
【００８４】
図６及び図８に示すように、上側操作部カバー６の上側張出部分６Ａの背面部に、固定作用部材４１を上側張出部分６Ａに保持する保持部として、Ｌ字状の６個の保持片４２が、固定作用部材４１の両横側箇所に、上下方向に沿って３個ずつ並べる状態で設けられている。
図１３に示すように、固定作用部材４１を固定位置と固定解除位置とに亘るスライド範囲から上方側に外れた装着位置に位置させた状態において、６個の保持片４２のうちの上方の４個の保持片４２と固定作用部材４１の横側縁部の切欠形成した切欠部４３（図７参照）とが対応することにより、６個の保持片４２が、上側張出部分６Ａの背面部に対する固定作用部材４１の遠近方向の移動を許容するように構成されている。
尚、６個の保持片４２のうちの下方の２個の保持片４２は、操作部４１Ａの前方に位置する。
【００８５】
ちなみに、本実施形態においては、固定作用部材４１のスライド範囲の上端側が固定解除位置であり、スライド範囲の下端側が固定位置であるため、装着位置は、固定解除位置よりも上方側の位置となる。
【００８６】
装着位置に位置する固定作用部材４１を、上側張出部分６Ａの背面部に接近させた状態で下方に移動させて、スライド範囲に移動させると、図１４に示すように、固定作用部材４１の横側縁部の切欠形成した切欠部４３が保持片４２から外れた状態となり、６個の保持片４２が、固定作用部材４１を上側張出部分６Ａに保持するように構成されている。
尚、このとき、６個の保持片４２のうちの下方の２個の保持片４２は、操作部４１Ａの上端側部分に形成した挿通部４１ａ（図６、図７参照）を通過して、固定作用部材４１の後面側に位置する状態となる。
【００８７】
図６及び図８に示すように、上側張出部分６Ａの背面部に、スライド範囲に位置する固定作用部材４１が装着位置に移動することを受け止め阻止する牽制部として、固定作用部材４１の左右両側に位置させる状態で一対の起立片４４が設けられている。
そして、固定作用部材４１に、固定作用部材４１を装着位置からスライド範囲に移動させるときには、起立片４４との接当により弾性後退変位して、起立片４４の装着部を通過し、かつ、スライド範囲に位置する固定作用部材４１が装着位置に移動することを起立片４４との接当により牽制する弾性変位式の被牽制部として、左右一対の弾性揺動片４５が設けられている。
【００８８】
一対の弾性揺動片４５は、図１４（ａ）に示すように、自由状態において、スライド範囲に位置する固定作用部材４１が装着位置に移動することを起立片４４との接当により牽制する牽制姿勢に復帰するものであり、そして、固定作用部材４１を装着位置からスライド範囲に移動させるときには、起立片４４との接当により、固定作用部材４１に接近する側に向けて弾性後退変位して、起立片４４の装着部を通過するように構成されている。
ちなみに、図７及び図１３に示すように、弾性揺動片４５の先端部には、起立片４４との接当により、弾性揺動片４５を固定作用部材４１に接近する側に向けて弾性後退変位させるための傾斜部４５ａが形成されている。
【００８９】
ちなみに、本実施形態においては、図１４（ａ）に示すように、弾性揺動片４５と起立片４４との接当により、固定作用部材４１のスライド範囲の上端側端部（固定解除位置）を規制するように構成され、そして、図１４（ｂ）に示すように、上側張出部分６Ａの背面部に形成した上下一対のピン状突起４６が、固定作用部材４１に形成した長孔状挿通孔４７の上端部に接当することにより、固定作用部材４１のスライド範囲の下端側端部（固定位置）を規制するように構成されている。
【００９０】
また、図９に示すように、固定作用部材４１の上方側部分に、上下両端部が固定作用部材４１に接続され且つ左右両側部分が固定作用部材４１から分離された弾性変位部４８が設けられ、その弾性変位部４８の裏面部に、図７に示すように、位置規制用突部４８ａが形成されている。
そして、図１０に示すように、上側張出部分６Ａの背面部に、固定作用部材４１のスライド移動に伴って位置規制用突部４８ａが接当しながら乗り越える形態で通過自在な突状部４９が、固定作用部材４１が固定位置と固定解除位置との間の途中に位置するときに、位置規制用突部４８ａと接当する位置に位置させた状態で設けられている。
【００９１】
したがって、本実施形態においては、ピン状突起４６と長孔状挿通孔４７の端部との接当、及び、位置規制用突部４８ａと突状部４９との接当により、固定作用部材４１を固定位置に相当する位置に保持できるように構成され、弾性揺動片４５と起立片４４との接当、及び、位置規制用突部４８ａと突状部４９との接当により、固定作用部材４１を固定解除位置に相当する位置に保持できるように構成されている。
【００９２】
以上の通り、本実施形態においては、上方側運転操作部ＭＵを覆う状態に上側操作部カバー６を固定する固定手段Ｄに対する操作部４１Ａが、下側操作部カバー７における調理器本体Ｈの横外方に張り出す下側張出部分７Ａの背部側箇所に位置されているから、下方側運転操作部ＭＳを突出位置に位置させると、固定手段Ｄの操作部４１Ａが露出するものとなり（図２参照）、そして、下方側運転操作部ＭＳを引退位置に位置させると、固定手段Ｄの操作部４１Ａが下側操作部カバー７の下側張出部分７Ａにて覆われるものとなる（図１参照）。
【００９３】
したがって、固定手段Ｄの操作部４１Ａを操作するときには、下方側運転操作部ＭＳを突出位置にすることにより、露出した固定手段Ｄの操作部４１Ａを良好に操作することができ、そして、固定手段Ｄの操作部４１Ａを操作しないときには、下方側運転操作部ＭＳを引退位置に位置させることにより、固定手段Ｄの操作部４１Ａを下側操作部カバー７の下側張出部分７Ａにて覆うことによって、調理器本体Ｈの前面部の外観を美麗にできる。
【００９４】
ちなみに、固定手段Ｄの操作部４１Ａを操作するためではなく、下方側運転操作部ＭＳを操作するために、下方側運転操作部ＭＳを突出位置に位置させたときにも、固定手段Ｄの操作部４１Ａが露出するものとなるが、固定手段Ｄの操作部４１Ａは、下方側運転操作部ＭＳの横外方に位置するものであるから、固定手段Ｄの操作部４１Ａが露出する状態となっても、下方側運転操作部ＭＳや上方側運転操作部ＭＵを操作する使用者によって、固定手段Ｄの操作部４１Ａが誤操作される虞は少ないものとなる。
【００９５】
〔別実施形態〕
以下、別実施形態を列記する。
【００９６】
（１）上記実施形態においては、調理器本体Ｈの前面部における左右両側の横端部側部分に、上方側運転操作部ＭＵと下方側運転操作部ＭＳとが並設される場合を例示したが、調理器本体Ｈの前面部における左右両側のうちの一方側の横端部側部分にのみ、上方側運転操作部ＭＵと下方側運転操作部ＭＳとが並設される場合にも、本発明は適用できるものである。
【００９７】
（２）上記実施形態においては、操作部４１Ａによって、固定手段Ｄを固定状態と固定解除状態とに操作する場合を例示したが、固定手段Ｄが固定状態に復帰付勢されて、上側操作部カバー６を上方側運転操作部ＭＵに装着するに伴って、固定手段Ｄが自動的に固定状態になるように構成される場合には、操作部４１Ａは、固定手段を固定状態から固定解除状態に操作することのみに使用されることになる。
【００９８】
（３）上記実施形態では、固定手段Ｄとして、上側操作部カバー６における調理器本体Ｈの横外方に張り出す上側張出部分６Ａの背面部に、固定作用部材４１を上下スライド自在に装備する形態の固定手段Ｄを例示したが、固定手段Ｄの具体構成は各種変更できる。
【００９９】
（４）上記実施形態では、下方側運転操作部ＭＳが、下端部を中心とした前後揺動によって、引退位置と突出位置とに切換えられる場合を例示したが、例えば、下方側運転操作部ＭＳを前後方向にスライド移動自在に支持して、そのスライド移動によって、引退位置と突出位置とに切換えるようにする等、下方側運転操作部ＭＳを引退位置と突出位置とに切換える形態は各種変更できる。
【０１００】
（５）上記実施形態では、後方上方側の揺動軸心Ｑを中心にして揺動する点消火ボタン８を装備する形態のガスコンロＧＣを例示したが、前後にスライド移動する点消火用の操作具を装備する形態や、回動操作式の点消火用の操作具を装備する形態等、各種の形態のガスコンロＧＣに対して本発明は適用できるものである。
【０１０１】
（６）上記実施形態では、加熱調理器として、加熱手段としてコンロバーナ１やグリルバーナを備えるガスコンロＧＣを例示したが、加熱手段として電磁誘導加熱部を備えた電磁調理器にも本発明は適用できるものである。
【符号の説明】
【０１０２】
６      上側操作部カバー
６Ａ    上側張出部分
７      下側操作部カバー
７Ａ    下側張出部分
１１    枢支軸
３１    内方側係止部
３２    カバー側被係止部
３３    外方側係止部
３４    被係止部
４１    固定作用部材
４１Ａ  操作部
４２    保持部
４４    牽制部
４５    被牽制部
Ｄ      固定手段
Ｈ      調理器本体
ＫＮ    キッチンキャビネット
Ｋ１    上方開口部
Ｋ２    前面開口
ＭＵ    上方側運転操作部
ＭＳ    下方側運転操作部
【図１】
2014035123.tif 000003
【図２】
2014035123.tif 000004
【図３】
2014035123.tif 000005
【図４】
2014035123.tif 000006
【図５】
2014035123.tif 000007
【図６】
2014035123.tif 000008
【図７】
2014035123.tif 000009
【図８】
2014035123.tif 000010
【図９】
2014035123.tif 000011
【図１０】
2014035123.tif 000012
【図１１】
2014035123.tif 000013
【図１２】
2014035123.tif 000014
【図１３】
2014035123.tif 000015
【図１４】
2014035123.tif 000016
【図１５】
2014035123.tif 000017
【図１６】
2014035123.tif 000018
【図１７】
2014035123.tif 000019
【図１８】
2014035123.tif 000020